(57)【要約】【課題】患者情報を有効活用し、検査の適正な実施を可能とする医療業務支援システム、医療業務支援方法、及び該方法をコンピュータに実行させるプログラムを提供する。【解決手段】医療業務支援システムは、患者を診察する際に患者情報を入力する第１の入力手段と、診察結果に基づきオーダーされた検査の前処置を実施する際に、前処置情報を含む患者情報を入力する第２の入力手段と、前記第１の入力手段により入力された第１の患者情報及び前記第２の入力手段により入力された第２の患者情報を記録するメモリと、前記メモリに記録された前記第１の患者情報及び前記第２の患者情報のいずれにも含まれる共通項目について、両患者情報を項目毎に比較して各項目の整合又は不整合を判定する整合性判定手段と、前記整合性判定手段による整合性判定結果を表示する表示手段と、を備える。【選択図】図１
2010092344.tif 000002
【特許請求の範囲】
【請求項１】
患者を診察する際に該患者の情報を入力する第１の入力手段と、
診察結果に基づきオーダーされた検査の前処置を前記患者に実施する際に該患者の情報を入力する第２の入力手段と、
前記第１の入力手段により入力された第１の患者情報及び前記第２の入力手段により入力された第２の患者情報を記録するメモリと、
前記メモリに記録された前記第１の患者情報及び前記第２の患者情報のいずれにも含まれる共通項目について、両患者情報を項目毎に比較し、各項目の整合又は不整合を判定する整合性判定手段と、
前記整合性判定手段による整合性判定結果を表示する表示手段と、
を備える医療業務支援システム。
【請求項２】
請求項１記載の医療業務支援システムであって、
前記表示手段は、前記第１の患者情報及び前記第２の患者情報、並びに前記共通項目について前記整合性判定手段により判定された各項目の整合又は不整合を表示し、且つ不整合と判定された項目の表示態様を、両患者情報のその余の項目の表示態様と異ならせる医療業務支援システム。
【請求項３】
請求項１記載の医療業務支援システムであって、
前記表示手段は、前記第１の患者情報及び前記第２の患者情報のうち前記共通項目については前記整合性判定手段により不整合と判定された項目、及びその不整合のみ表示する医療業務支援システム。
【請求項４】
請求項１〜３のいずれか一項記載の医療業務支援システムであって、
前記検査の実施の可否を判定する検査可否判定手段をさらに備え、
前記検査可否判定手段は、前記第１の患者情報及び前記第２の患者情報の前記共通項目について前記整合性判定手段により不整合と判定された項目が１以上ある場合に前記検査の実施否の判定をし、
前記表示手段は、前記検査可否判定手段による検査可否判定結果をさらに表示する医療業務支援システム。
【請求項５】
請求項４記載の医療業務支援システムであって、
少なくとも前記第２の患者情報は、前記患者の既往歴及び前記前処置の情報を含み、
前記メモリは、病名に対応させて前記検査の前処置における適正処置情報を保持した適正処置情報テーブルを記録しており、
前記検査可否判定手段は、前記適正処置情報テーブルを参照して前記第２の患者情報の既往歴に対応する適正処置情報を検索し、検索された適正処置情報に前記第２の患者情報の前処置情報が該当しない場合に、前記検査の実施否の判定をする医療業務支援システム。
【請求項６】
請求項４又は請求項５記載の医療業務支援システムであって、
少なくとも前記第２の患者情報は、前記患者の服薬情報及び前記検査の種別を含み、
前記メモリは、検査種別に対応させて薬の禁忌情報を保持した禁忌情報テーブルを記録しており、
前記検査可否判定手段は、前記禁忌情報テーブルを参照して前記第２の患者情報の検査種別に対応する禁忌情報を検索し、検索された禁忌情報に前記第２の患者情報の服薬情報が該当する場合に、前記検査の実施否の判定をする医療業務支援システム。
【請求項７】
請求項１〜６のいずれか一項記載の医療業務支援システムであって、
前記メモリは、前記患者に過去に実施された検査の情報を記録しており、
前記表示手段は、前記メモリに記録された検査情報をさらに表示する医療業務支援システム。
【請求項８】
コンピュータが行う、
患者を診察する際に入力される第１の患者情報をメモリに記録するステップと、
診察結果に基づいてオーダーされた検査の前処置を前記患者に実施する際に入力される第２の患者情報を前記メモリに記録するステップと、
前記メモリに記録された第１の患者情報及び前記第２の患者情報のいずれにも含まれる共通項目について、両患者情報を項目毎に比較して各項目の整合又は不整合を判定する整合性判定ステップと、
前記整合性判定ステップによる整合性判定結果を表示する表示ステップと、
を備える医療業務支援方法。
【請求項９】
請求項８記載の医療業務支援方法であって、
前記表示ステップは、前記第１の患者情報及び前記第２の患者情報、並びに前記共通項目について前記整合性判定ステップにより判定された各項目の整合又は不整合を表示し、且つ不整合と判定された項目の表示態様を、両患者情報のその余の項目の表示態様と異ならせる医療業務支援方法。
【請求項１０】
請求項８記載の医療業務支援方法であって、
前記表示ステップは、前記第１の患者情報及び前記第２の患者情報のうち前記共通項目については前記整合性判定ステップにより不整合と判定された項目、及びその不整合のみ表示する医療業務支援方法。
【請求項１１】
請求項８〜１０のいずれか一項記載の医療業務支援方法であって、
前記コンピュータが行う、前記検査の実施の可否を判定する検査可否判定ステップをさらに備え、
前記検査可否判定ステップは、前記第１の患者情報及び前記第２の患者情報の前記共通項目について前記整合性判定ステップにより不整合と判定された項目が１以上ある場合に前記検査の実施否の判定をし、
前記表示ステップは、前記検査可否判定ステップによる検査可否判定結果をさらに表示する医療業務支援方法。
【請求項１２】
請求項１１記載の医療業務支援方法であって、
少なくとも前記第２の患者情報は、前記患者の既往歴及び前記前処置の情報を含み、
前記メモリは、病状に対応させて前記検査の前処置における適正処置情報を保持した適正処置情報テーブルを記録しており、
前記検査可否判定ステップは、前記適正処置情報テーブルを参照して前記第２の患者情報の既往歴に対応する適正処置情報を検索し、検索された適正処置情報に前記第２の患者情報の前処置情報が該当しない場合に、前記検査の実施否の判定をする医療業務支援方法。
【請求項１３】
請求項１１又は請求項１２記載の医療業務支援方法であって、
少なくとも前記第２の患者情報は、前記患者の服薬情報及び前記検査の種別を含み、
前記メモリは、検査種別に対応させて薬の禁忌情報を保持した禁忌情報テーブルを記録しており、
前記検査可否判定ステップは、前記禁忌情報テーブルを参照して前記第２の患者情報の検査種別に対応する禁忌情報を検索し、検索された禁忌情報に前記第２の患者情報の服薬情報が該当する場合に、前記検査の実施否の判定をする医療業務支援方法。
【請求項１４】
請求項８〜１３のいずれか一項記載の医療業務支援方法であって、
前記メモリは、前記患者に過去に実施された検査の情報を記録しており、
前記表示ステップは、前記メモリに記録されている検査情報をさらに表示する医療業務支援方法。
【請求項１５】
請求項８〜１４のいずれか一項記載の医療業務支援方法をコンピュータに実行させるプログラム。
【発明の詳細な説明】
【技術分野】
【０００１】
本発明は、医療機関で行われる業務を支援する医療業務支援システム、医療業務支援方法、及び該方法をコンピュータに実行させるプログラムに関する。
【背景技術】
【０００２】
医療機関では、例えば内視鏡検査などの種々の検査が患者に対して実施されるが、それらの検査が実施されるまでには種々の医療業務が介在している。典型的には、まず、外来診察に訪れた患者は、氏名、年齢、症状、既往歴、服用薬、等を問診票に記入し、外来診察の医師は、記入された問診票を参照して患者を診察する。そして、診察結果に基づいて患者に要する検査がオーダーされる。外来診察において得られた患者情報は、紙に記録され、又はサーバー等のメモリに電子データとして記録される。
【０００３】
検査は、一般に外来診察とは日時や場所を異にして実施され、また、検査の実施に先立って前処置が実施される。前処置は、一般に看護師により実施され、看護師は、患者の氏名、年齢、既往歴、服用薬、等を確認し、また、検査承諾書の提出を確認する。それらの情報及び実施される前処置の情報を含む患者情報は、紙に記録され、又はサーバー等のメモリに電子データとして記録される。
【０００４】
そして、検査を実施する医師により、それまでに得られた患者情報に基づいて最終的に検査の実施可否が判断されるが、一般に、直近の前処置において得られた患者情報に基づいて判断されている。
【０００５】
以上のような医療業務において、問診票に記入された情報を電子データとして記録する際の負担を軽減するために、患者に行われた医療行為の実施情報を記録したデータベースから実施情報を取得して問診項目に対応する問診結果を作成する医療情報管理装置が提案されている（特許文献１参照）。また、患者本人と患者情報との照合を迅速・確実に行うために、患者情報を記録しておき、患者固有の検索情報から患者情報を読み出し、患者情報の確認を行う医療検査システムも提案されている（特許文献２参照）。そして、前処置情報をリアルタイムに入力し、この前処置情報を次回検査に利用する医療業務支援システムも提案されている（特許文献３参照）。
【特許文献１】特開２００７−３２８７４０号公報
【特許文献２】特開２００２−０６５６４２号公報
【特許文献３】特開２００４−１７８４０６号公報
【発明の開示】
【発明が解決しようとする課題】
【０００６】
検査の実施可否の判断において１つの患者情報に依ることは、例えば既往歴等の誤申告や患者情報の誤記録などの人為的な過誤が看過され易く、適正な検査の実施を阻害する虞がある。そして、上記特許文献１〜３のいずれの技術も、外来診察において得られた患者情報及び前処置において得られた患者情報の双方を検査の実施可否の判断に活用するというものではない。
【０００７】
本発明は、上述した事情に鑑みなされたものであり、患者情報を有効活用して検査の適正な実施を可能とする医療業務支援システム、医療業務支援方法、及び該方法をコンピュータに実行させるプログラムを提供することを目的とする。
【課題を解決するための手段】
【０００８】
（１）患者を診察する際に該患者の情報を入力する第１の入力手段と、診察結果に基づきオーダーされた検査の前処置を前記患者に実施する際に該患者の情報を入力する第２の入力手段と、前記第１の入力手段により入力された第１の患者情報及び前記第２の入力手段により入力された第２の患者情報を記録するメモリと、前記メモリに記録された前記第１の患者情報及び前記第２の患者情報のいずれにも含まれる共通項目について、両患者情報を項目毎に比較し、各項目の整合又は不整合を判定する整合性判定手段と、前記整合性判定手段による整合性判定結果を表示する表示手段と、を備える医療業務支援システム。
【０００９】
上記の医療業務支援システムによれば、診察の際に入力される第１の患者情報及び前処置を実施する際に入力される第２の患者情報の共通項目について各項目の整合又は不整合を判定し、その判定結果を表示することにより、検査を実施する者の注意を喚起することができる。それにより、検査の適正な実施が可能となる。
【００１０】
（２）（１）記載の医療業務支援システムであって、前記表示手段は、前記第１の患者情報及び前記第２の患者情報、並びに前記共通項目について前記整合性判定手段により判定された各項目の整合又は不整合を表示し、且つ不整合と判定された項目の表示態様を、両患者情報のその余の項目の表示態様と異ならせる医療業務支援システム。
【００１１】
上記の医療業務支援システムによれば、第１の患者情報及び第２の患者情報の共通項目について不整合な項目が一目瞭然であり、検査を実施する者の注意喚起に資する。
【００１２】
（３）（１）記載の医療業務支援システムであって、前記第１の患者情報及び前記第２の患者情報のうち前記共通項目については前記整合性判定手段により不整合と判定された項目、及びその不整合のみ表示する医療業務支援システム。
【００１３】
上記の医療業務支援システムによれば、第１の患者情報及び第２の患者情報の共通項目について不整合な項目が一目瞭然であり、検査を実施する者の注意喚起に資する。
【００１４】
（４）（１）〜（３）のいずれか一項記載の医療業務支援システムであって、前記検査の実施の可否を判定する検査可否判定手段をさらに備え、前記検査可否判定手段は、前記第１の患者情報及び前記第２の患者情報の前記共通項目について前記整合性判定手段により不整合と判定された項目が１以上ある場合に前記検査の実施否の判定をし、前記表示手段は、前記検査可否判定手段による検査可否判定結果をさらに表示する医療業務支援システム。
【００１５】
上記の医療支援システムによれば、検査の実施可否の判断における人為的な過誤を回避することができる。それにより、検査の適正な実施が可能となる。
【００１６】
（５）（４）記載の医療業務支援システムであって、少なくとも前記第２の患者情報は、前記患者の既往歴及び前記前処置の情報を含み、前記メモリは、病名に対応させて前記検査の前処置における適正処置情報を保持した適正処置情報テーブルを記録しており、前記検査可否判定手段は、前記適正処置情報テーブルを参照して前記第２の患者情報の既往歴に対応する適正処置情報を検索し、検索された適正処置情報に前記第２の患者情報の前処置情報が該当しない場合に、前記検査の実施否の判定をする医療業務支援システム。
【００１７】
上記の医療支援システムによれば、検査の実施可否の判断における人為的な過誤を回避することができる。それにより、検査の適正な実施が可能となる。
【００１８】
（６）（４）又は（５）記載の医療業務支援システムであって、少なくとも前記第２の患者情報は、前記患者の服薬情報及び前記検査の種別を含み、前記メモリは、検査種別に対応させて薬の禁忌情報を保持した禁忌情報テーブルを記録しており、前記検査可否判定手段は、前記禁忌情報テーブルを参照して前記第２の患者情報の検査種別に対応する禁忌情報を検索し、検索された禁忌情報に前記第２の患者情報の服薬情報が該当する場合に、前記検査の実施否の判定をする医療業務支援システム。
【００１９】
上記の医療支援システムによれば、検査の実施可否の判断における人為的な過誤を回避することができる。それにより、検査の適正な実施が可能となる。
【００２０】
（７）（１）〜（６）のいずれか一項記載の医療業務支援システムであって、前記メモリは、前記患者に過去に実施された検査の情報を記録しており、前記表示手段は、前記メモリに記録された検査情報をさらに表示する医療業務支援システム。
【００２１】
上記の医療支援システムによれば、より多くの患者情報を踏まえて検査の実施可否の判断をすることができる。それにより、検査の適正な実施が可能となる。
【００２２】
（８）コンピュータが行う、患者を診察する際に入力される第１の患者情報をメモリに記録するステップと、診察結果に基づいてオーダーされた検査の前処置を前記患者に実施する際に入力される第２の患者情報を前記メモリに記録するステップと、前記メモリに記録された第１の患者情報及び前記第２の患者情報のいずれにも含まれる共通項目について、両患者情報を項目毎に比較して各項目の整合又は不整合を判定する整合性判定ステップと、前記整合性判定ステップによる整合性判定結果を表示する表示ステップと、を備える医療業務支援方法。
【００２３】
（９）（８）記載の医療業務支援方法であって、前記表示ステップは、前記第１の患者情報及び前記第２の患者情報、並びに前記共通項目について前記整合性判定ステップにより判定された各項目の整合又は不整合を表示し、且つ不整合と判定された項目の表示態様を、両患者情報のその余の項目の表示態様と異ならせる医療業務支援方法。
【００２４】
（１０）（８）記載の医療業務支援方法であって、前記表示ステップは、前記第１の患者情報及び前記第２の患者情報のうち前記共通項目については前記整合性判定ステップにより不整合と判定された項目、及びその不整合のみ表示する医療業務支援方法。
【００２５】
（１１）（８）〜（１０）のいずれか一項記載の医療業務支援方法であって、前記コンピュータが行う、前記検査の実施の可否を判定する検査可否判定ステップをさらに備え、前記検査可否判定ステップは、前記第１の患者情報及び前記第２の患者情報の前記共通項目について前記整合性判定ステップにより不整合と判定された項目が１以上ある場合に前記検査の実施否の判定をし、前記表示ステップは、前記検査可否判定ステップによる検査可否判定結果をさらに表示する医療業務支援方法。
【００２６】
（１２）（１１）記載の医療業務支援方法であって、少なくとも前記第２の患者情報は、前記患者の既往歴及び前記前処置の情報を含み、前記メモリは、病状に対応させて前記検査の前処置における適正処置情報を保持した適正処置情報テーブルを記録しており、前記検査可否判定ステップは、前記適正処置情報テーブルを参照して前記第２の患者情報の既往歴に対応する適正処置情報を検索し、検索された適正処置情報に前記第２の患者情報の前処置情報が該当しない場合に、前記検査の実施否の判定をする医療業務支援方法。
【００２７】
（１３）（１１）又は（１２）記載の医療業務支援方法であって、少なくとも前記第２の患者情報は、前記患者の服薬情報及び前記検査の種別を含み、前記メモリは、検査種別に対応させて薬の禁忌情報を保持した禁忌情報テーブルを記録しており、前記検査可否判定ステップは、前記禁忌情報テーブルを参照して前記第２の患者情報の検査種別に対応する禁忌情報を検索し、検索された禁忌情報に前記第２の患者情報の服薬情報が該当する場合に、前記検査の実施否の判定をする医療業務支援方法。
【００２８】
（１４）（８）〜（１３）のいずれか一項記載の医療業務支援方法であって、前記メモリは、前記患者に過去に実施された検査の情報を記録しており、前記表示ステップは、前記メモリに記録されている検査情報をさらに表示する医療業務支援方法。
【００２９】
（１５）（８）〜（１４）のいずれか一項記載の医療業務支援方法をコンピュータに実行させるプログラム。
【００３０】
以上の医療業務支援方法、及び該方法をコンピュータに実行させるプログラムによれば、診察の際に入力される第１の患者情報及び前処置を実施する際に入力される第２の患者情報の共通項目について各項目の整合又は不整合を判定し、その判定結果を表示することにより、検査を実施する者の注意を喚起することができる。それにより、検査の適正な実施が可能となる。
【発明の効果】
【００３１】
本発明によれば、患者情報を有効活用して検査の適正な実施が可能となる。
【発明を実施するための最良の形態】
【００３２】
以下、本発明の好適な実施形態について、図面を参照して説明する。図１は本発明の実施形態を説明するための医療業務支援システムの一例の概略構成を示すブロック図である。
【００３３】
図１に示すように、医療業務支援システム１は、診察結果に基づいて患者にオーダーされた検査を該患者に実施する際の医療業務を支援するシステムである。この医療業務支援システム１は、少なくとも診察部門及び前処置・検査部門にわたり、各部門にＰＣ（Personal Computer）２を備え、それらのＰＣ２とＬＡＮ（Local Area Network）等のネットワーク３を介して接続されるサーバー等のメモリ４を備えている。
【００３４】
図２は図１の医療業務支援システムに含まれる各ＰＣの概略構成を示すブロック図である。ＰＣ２は、キーボード等で構成される入力部１１、モニタ等で構成される表示部１２、ＨＤＤ等で構成される記録部１３、ＣＰＵ等で構成される制御部１４、ネットワーク３に接続するためのネットワークＩ／Ｆ等で構成される通信部１５と、を備えている。記録部１３には、医療業務支援プログラム１６が格納されている。このプログラム１６は、制御部１４にロードされ、上記各要素１１〜１５を連携させてＰＣ２に所定の処理を実行させる。
【００３５】
メモリ４は、患者情報データベース２１を記録している。この患者情報データベース２１は、例えば患者に付与されるＩＤと、患者の氏名、年齢、性別、等の患者情報とを関連付けて記録している。
【００３６】
図３は医療業務支援システム１のフローチャートである。まず、外来診察において患者の診察がおこなわれ、診察結果に基づいて患者に要する検査がオーダーされる。そして、診察の際に得られた患者情報が診察部門のＰＣ２（第１の入力手段）に入力される（ステップＳ１）。
【００３７】
図４には診察部門のＰＣの表示部による表示の一例が示されており、ＰＣ２には、患者情報として、患者の氏名、年齢、性別、診察結果に基づきオーダーされた検査の種別が入力され、さらには、既往歴、及び服薬情報の一部である服用薬が入力され、それらが表示部１２に表示されている。
【００３８】
以上の患者情報の入力が済むと（ステップＳ２）、診察部門のＰＣ２は、入力された患者情報を、ネットワーク３を介してメモリ４に転送し、メモリ４の患者情報データベース２１に基本患者情報（第１の患者情報）として記録する（ステップＳ３）。
【００３９】
次いで、オーダーされた検査の前処置が患者に実施される。前処置が実施される際には、一般に外来診察の際に得られた基本患者情報の確認がなされ、氏名、年齢、性別、等で患者の同一の確認がなされ、また、既往歴、服用薬についても確認がなされる。また、検査の承諾書の提出が確認され、当日の飲食や患者の服用薬が検査に支障をきたす場合には、診察時に当日の飲食の禁止や服薬の中止の指示が患者になされており、それらの指示が守られているか、即ち、当日の飲食の有無や服薬の中止日数についても確認される。そして、検査をオーダーした医師の指示や検査マニュアルなどに従い、所定の薬剤の投与といった前処置が実施される。そして、前処置を実施する際に得られた患者情報が前処置・検査部門のＰＣ２（第２の入力手段）に入力される（ステップＳ４）。
【００４０】
図５には前処置・検査部門のＰＣの表示部による表示の一例が示されており、ＰＣ２には、患者情報として、患者の氏名、年齢、性別、検査種別、検査承諾書提出の有無、当日飲食の有無、既往歴、服薬情報である服用薬及びその中止日数、並びに前処置情報が入力され、それらが表示部１２に表示されている。前処置情報としては、前処置薬剤種類、注射薬種類、及びそれらの投与量が含まれている。尚、検査承諾書提出の有無、既往歴、服用薬、服薬中止日数、等の比較的重要な項目については、注意を惹くよう太字にする、フォントを変える、色を変える、スーパーインポーズとする、等の他の項目との差異が明確となるような態様で表示されることが好ましい。
【００４１】
以上の患者情報の入力が済むと（ステップＳ５）、前処置・検査部門のＰＣ２は、入力された患者情報を、ネットワーク３を介してメモリ４に転送し、メモリ４の患者情報データベース２１に前処置患者情報（第２の患者情報）として記録する（ステップＳ６）。
【００４２】
尚、図５に示す例で、前処置・検査部門のＰＣ２の表示部１２には、基本患者情報が併せて表示されている。前処置・検査部門のＰＣ２に患者のＩＤが入力されると、ＰＣ２がネットワーク３を介してメモリ４の患者情報データベース２１から該患者の基本患者情報を読み込む。そして、ＰＣ２は、読み込んだ基本患者情報を表示部１２に表示し、基本患者情報に隣接して前処置患者情報の各項目を空欄で表示し、それらの項目の入力を促す。基本患者情報が併せて表示されることにより、基本患者情報及び前処置患者情報のいずれにも含まれる共通項目について、各項目の整合又は不整合が前処置患者情報を入力する者において即時に認識でき、例えば既往歴や服用薬などの項目が不整合であるときに、検査を実施する医師への申し送りをする機会が提供される。それにより、適正な検査の実施が可能となる。
【００４３】
次いで、患者に検査が実施されるが、検査の実施に際し、それまでに得られた患者情報から検査の実施可否が医師により判断される。具体的には、前処置・検査部門のＰＣ２が、入力されたＩＤに対応する基本患者情報及び前処置患者情報を、ネットワーク３を介してメモリ４の患者情報データベース２１から読み込む。そして、ＰＣ２は、読み込んだ両患者情報のいずれにも含まれる共通項目について、両患者情報を項目毎に比較する（ステップＳ７）。共通項目について両患者情報を項目毎に比較した結果、両患者情報で不整合な項目がある場合には（ステップＳ８）、それらの項目の表示態様をその余の項目の表示態様と異ならせるように処理し（ステップＳ９）、整合性判定結果を表示部１２に表示する（ステップＳ１０）。
【００４４】
図６には表示手段による整合性判定結果の表示の一例が示されており、表示手段である前処置・検査部門のＰＣ２の表示部１２には、基本患者情報及び前処置患者情報、並びに両患者情報の共通項目について項目毎に「整合」又は「不整合」が表示されている。そして、不整合な項目、及びその「不整合」は、注意を惹くよう太字で表示されている。尚、太字に限らず、例えばフォントを変える、色を変える、スーパーインポーズとする、等の他の項目との差異が明確となるような態様で表示されてもよい。
【００４５】
図６に示す例では、基本患者情報及び前処置患者情報で患者の既往歴の項目が不整合となっており、該項目について、検査の実施可否を判断する医師の注意喚起がなされる。特に、両患者情報の不整合な項目、及びその「不整合」の表示態様が他の項目と異なっており、より一層の注意喚起がなされる。検査の実施可否を判断する医師には、例えば患者の既往歴について基本患者情報又は前処置患者情報のいずれが正しいかを患者に確認し、そして、確認された既往歴に対して実施された前処置が適正であるかを判断する機会が提供される。それにより、適正な検査の実施が可能となる。
【００４６】
次に、医療業務支援システム１の変形例を説明する。患者に検査が実施された後に、前処置・検査部門のＰＣ２には検査情報が入力され、ＰＣ２は、入力された検査情報を、ネットワーク３を介してメモリ４の患者情報データベース２１に記録する。このようにして患者情報データベース２１に記録された検査情報は、次回の検査において、その際に得られた基本患者情報、前処置患者情報、及び両患者情報の整合性判定結果とともに、前回検査情報として表示部１２に表示される。
【００４７】
図７には、表示手段による表示の一例が示されており、表示手段である前処置・検査部門のＰＣ２の表示部１２には、前回検査情報として、患者の氏名、年齢、性別、検査種別、及び検査の詳細情報、が表示されている。検査の詳細情報としては、検査方法、挿入場所、体位が表示されている。このように、基本患者情報、前処置患者情報、及び両患者情報の整合性判定結果とともに前回検査情報が表示されることで、医師は、より多くの患者情報を踏まえて検査の実施可否の判断をすることができる。より適正な検査の実施が可能となる。尚、前回検査情報として表示される検査情報は、直近の検査情報であってもよいが、これより実施される検査と同種の検査の検査情報であることが好ましく、その場合、ＰＣ２が前処置検査情報の検査種別と一致するものをメモリ４の患者情報データベース２１から検索し、表示するようにする。
【００４８】
このように、医療業務支援システム１によれば、基本患者情報及び前処置患者情報の整合性判定結果が表示されるので、検査を実施する者の注意を喚起することができる。それにより、検査の適正な実施が可能となる。
【００４９】
図８は、本発明の実施形態を説明するための医療業務支援システムの他の例の概略構成を示すブロック図である。尚、上述した医療業務支援システム１と共通する要素については、同一符号を付することにより、その説明を省略又は簡略する。
【００５０】
図８に示すように、医療業務支援システム１０１は、診察部門、及び前処置・検査部門のそれぞれにＰＣ２を備え、それらのＰＣ２とネットワーク３を介して接続されるメモリ４を備えている。
【００５１】
メモリ４は、さらに適正処置情報テーブル２２、及び禁忌情報テーブル２３を記録している。適正処置情報テーブル２２は、病名に対応させて検査の前処置における適正処置情報を検査種別毎に保持しており、禁忌情報テーブル２３は、検査種別に対応させて薬の禁忌情報を保持している。
【００５２】
図９は医療業務支援システム１０１のフローチャートである。尚、上述した医療業務支援システム１におけるステップＳ１〜Ｓ９（診察の際に入力される基本患者情報の記録、前処置の際に入力される前処置患者情報の記録、及び記録された両患者情報の整合性判定）までの処理は、医療業務支援システム１０１においても同様に行われる。以下では、基本患者情報及び前処置患者情報の整合性判定以降の処理を説明する。
【００５３】
図９に示すように、前処置・検査部門のＰＣ２が、入力されたＩＤに対応する基本患者情報及び前処置患者情報を、ネットワーク３を介してメモリ４の患者情報データベース２１から読み込み、読み込んだ両患者情報の共通項目について両患者情報を項目毎に比較して各項目の整合又は不整合を判定する。そして、ＰＣ２は、整合性判定結果及び前処置患者情報に基づいて検査の実施の可否を判定する（ステップＳＳ１０）。
【００５４】
具体的には、まず、ＰＣ２は、基本患者情報及び前処置患者情報の共通項目について、不整合と判定された項目が１以上ある場合に検査の実施否の判定をする。
【００５５】
そして、ＰＣ２は、ネットワーク３を介してメモリ４の適正処置情報テーブル２２を参照し、前処置患者情報の既往歴に基づいて、検査の実施可否を判定する。図１０に適正処置情報テーブル２２の一例を示す。図示の例では、上部消化管内視鏡検査の前処置に使用される前処置薬剤及び注射薬剤に関し、通常とは異なる薬剤が使用される病名、及び病名毎の適正な薬剤及び投与量を保持している。
【００５６】
ＰＣ２は、適正処置情報テーブル２２を参照して前処置患者情報の既往歴に対応する適正処置情報を検索し、対応する適正処置情報があれば、前処置患者情報の前処置情報が、その適正処置情報に該当するかを判定する。例えば前処置患者情報の既往歴が糖尿病であるとして、ＰＣ２は、糖尿病に対応する適正前処置情報を検索し、糖尿病の適正な前処置薬剤の種類及び投与量、並びに注射薬の種類及び投与量と、前処置情報の前処置薬剤の種類及び投与量、並びに注射薬の種類及び投与量とをそれぞれ比較する。
【００５７】
そして、ＰＣ２は、適正処置情報に前処置情報が該当する、即ち全ての項目が一致する場合に、検査の実施可の判定をし、適正処置情報に前処置情報が該当しない、即ち不一致な項目が１以上ある場合には、検査の実施否の判定をする。尚、前処置患者情報の既往歴に対応する適正処置情報が適正処置情報テーブル２２になければ、ＰＣ２は、検査の実施可の判定をする。
【００５８】
さらに、ＰＣ２は、ネットワーク３を介してメモリ４の禁忌情報テーブル２３を参照し、前処置患者情報の服薬情報に基づいて、検査の実施可否を判定する。図１１に禁忌情報テーブル２３の一例を示す。図示の例では、上部消化管内視鏡検査において検査前所定日数以内の所定の薬剤の服用が禁忌であること、即ち、禁忌薬剤、及びその最低限必要な服薬中止日数を保持している。
【００５９】
ＰＣ２は、禁忌情報テーブル２３を参照して前処置患者情報の検査種別に対応する禁忌情報を検索し、対応する適正処置情報があれば、前処置患者情報の服薬情報が、その禁忌情報に該当するかを判定する。例えば前処置患者情報の検査種別が上部消化管内視鏡検査であるとして、ＰＣ２は、上部消化管内市況検査に対応する禁忌情報を検索し、上部消化管内視鏡検査の禁忌薬剤及びその最低限必要な服薬中止日数と、服薬情報の服用薬及びその服薬中止日数とをそれぞれ比較する。
【００６０】
そして、ＰＣ２は、禁忌情報に服薬情報が該当しない、即ち服薬情報の服用薬が禁忌情報の禁忌薬剤に一致しない場合、又は服薬情報の服用薬が禁忌情報の禁忌薬剤に一致するが、服薬情報の服薬中止日数が禁忌情報の最低限必要な服薬中止日数以上である場合に、検査の実施可の判定をし、禁忌情報に服薬情報が該当する、即ち服薬情報の服用薬が禁忌情報の禁忌薬剤に一致し、且つ服薬情報の服薬中止日数が禁忌情報の最低限必要な服薬中止日数未満である場合に、禁忌情報に服薬情報が該当するとして、検査の実施否の判定をする。尚、前処置患者情報の検査種別に対応する禁忌情報が禁忌情報テーブル２３になければ、ＰＣ２は、検査の実施可の判定をする。
【００６１】
ＰＣ２は、以上のとおり検査の実施可否を判定し、その結果、検査の実施否と判定した項目がある場合には（ステップＳＳ１１）、それらの項目の表示態様をその余の項目の表示態様と異ならせるように処理し（ステップＳＳ１２）、整合性判定結果と共に検査可否判定結果を表示部１２に表示する（ステップＳＳ１３）。
【００６２】
図１２には表示手段による検査可否判定結果の表示の一例が示されている。基本患者情報及び前処置患者情報のうち共通項目については不整合な項目の両患者情報、並びにその「不整合」のみ表示されている。これによれば、基本患者情報及び前処置患者情報の共通項目について不整合な項目が一目瞭然であり、検査を実施する医師の注意喚起に資する。
【００６３】
そして、検査可否判定結果については、前処置患者情報の項目毎に「可」又は「否」が表示されている。そして、検査の実施否の項目、及びその「否」は、注意を惹くよう太字で表示されている。尚、太字に限らず、例えばフォントを変える、色を変える、スーパーインポーズとする、等の他の項目との差異が明確となるような態様で表示されてもよい。
【００６４】
図１２に示す例では、前処置患者情報の服用薬剤Ａは、禁忌情報の禁忌薬剤Ａに一致し、且つ前処置患者情報の服薬中止日数３日は、禁忌情報の服薬中止日数７日未満であることから、禁忌情報に服薬情報が該当するとして検査の実施否の判定がなされ、それらの項目について「否」が表示されている。また、前処置患者情報の注射薬剤Ｃは、適正処置情報の注射薬剤Ｄに不一致であり、また、投与量についても不一致であるから、適正処置情報に前処置情報が該当しないとして検査の実施否の判定がされ、それらの項目について「否」が表示されている。
【００６５】
さらに、図１２に示す例では、検査の実施否と判定される理由が併せて表示されている。例えば前処置情報の既往歴に基づく検査の実施可否の判定において、適正処理情報テーブル２２に保持される適正処置情報の各項目に理由を関連付けておき、前処置情報が不一致である項目に関連付けられた理由を抽出することによって、理由の表示がなされる。検査の実施否と判定される理由を併せて表示することは、検査の実施可否を一括して「可」又は「否」と表示する場合に特に有用である。
【００６６】
このように、医療業務支援システム１０１によれば、基本患者情報及び前処置患者情報の整合性判断結果及び前処置患者情報に基づいて検査の実施可否が判定されるので、検査の実施可否の判断における人為的な過誤を回避することができる。それにより、検査の適正な実施が可能となる。
【図面の簡単な説明】
【００６７】
【図１】本発明の実施形態を説明するための医療業務支援システムの一例の概略構成を示すブロック図である。
【図２】図１の医療業務支援システムに含まれる各ＰＣの概略構成を示すブロック図である。
【図３】図１の医療業務支援システムのフローチャートである。
【図４】図１の診察部門のＰＣの表示部による表示の一例を示す図である。
【図５】図１の前処置・検査部門のＰＣの表示部による表示の一例を示す模式図である。
【図６】図１の医療業務支援システムの表示手段による表示の一例を示す模式図である。
【図７】図１の医療業務支援システムの変形例の表示手段による表示の一例を示す模式図である。
【図８】本発明の実施形態を説明するための医療業務支援システムの他の例の概略構成を示すブロック図である。
【図９】図８の医療業務支援システムのフローチャートである。
【図１０】図８の医療業務支援システムの適正処置情報テーブルの一例を示す模式図である。
【図１１】図８の医療業務支援システムの禁忌情報テーブルの一例を示す模式図である。
【図１２】図８の医療業務支援システムの表示手段による表示の一例を示す模式図である。
【符号の説明】
【００６８】
１，１０１  医療業務支援システム
２  ＰＣ
３  ネットワーク
４  メモリ
１１  入力部
１２  表示部
１３  記録部
１４  制御部
１５  通信部
１６  プログラム
２１  患者情報データベース
２２  適正処置情報テーブル
２３  禁忌情報テーブル
【図１】
2010092344.tif 000003
【図２】
2010092344.tif 000004
【図３】
2010092344.tif 000005
【図４】
2010092344.tif 000006
【図５】
2010092344.tif 000007
【図６】
2010092344.tif 000008
【図７】
2010092344.tif 000009
【図８】
2010092344.tif 000010
【図９】
2010092344.tif 000011
【図１０】
2010092344.tif 000012
【図１１】
2010092344.tif 000013
【図１２】
2010092344.tif 000014